(57)【要約】【課題】接着剤を使用することなく、ティッシュペーパーを収納したティッシュ箱を適宜箇所に保持することが可能なティッシュ箱ホルダーを提供すること。【解決手段】この考案のティッシュ箱ホルダーは、適宜のものに取り付けて吊り下げられるようにした左右一対の片１，２からなり、各片１，２は、ティッシュ箱の側部に設けられた穴に差し込むようにした引掛け部５と、ティッシュ箱の表面に当接することによりティッシュ箱の回動を抑止する押さえ部６を備えたものとしている。また、この考案の収納容器は、前記ティッシュ箱ホルダーを、その各片１，２の上端部を左右側部に係止させて吊り下げているものとしている【選択図】  図１
0003124821.tif 000002
【実用新案登録請求の範囲】
【請求項１】
適宜のものに取り付けて吊り下げられるようにした左右一対の片（１）（２）からなり、各片（１）（２）は、ティッシュ箱（３）の側部に設けられた穴（４）に差し込むようにした引掛け部（５）と、ティッシュ箱（３）の表面に当接することによりティッシュ箱（３）の回動を抑止する押さえ部（６）を備えていることを特徴とするティッシュ箱ホルダー。
【請求項２】
引掛け部（５）は、各片（１）（２）の長板状の基体（１４）から内面側において分岐して上方に延びるものであり、押さえ部（６）は、引掛け部（５）より下方の位置においてティッシュ箱（３）のティッシュ取り出し口（７）のある面（８）と反対側の面（９）に当接するように基体（１４）と直角に設けられたものである請求項１記載のティッシュ箱ホルダー。
【請求項３】
少なくともいずれか一方の片（１）（２）の基体（１４）の外面側に、適宜のものを掛けるためのフック（１８）を設けている請求項１又は２記載のティッシュ箱ホルダー。
【請求項４】
請求項１、２又は３記載のティッシュ箱ホルダーを、その各片（１）（２）の上端部を左右側部に係止させて吊り下げていることを特徴とする収納容器（１９）。
【考案の詳細な説明】
【技術分野】
【０００１】
この考案は、自動車、列車、船舶、あるいは家庭等において、ティッシュペーパーを収納したティッシュ箱を適宜箇所に保持するためのティッシュ箱ホルダーに関するものである。
【背景技術】
【０００２】
従来、自動車において、ティッシュペーパーを収納したティッシュ箱は、後部座席の上部後方（リヤウィンドーの下）に置かれるのが通常であり、そのため、ティッシュペーパーを取り出す際には、後方を向いて手を伸ばさなければならず、また、ティッシュ箱は特に何かに保持されるわけではないので、自動車の揺れ等によって移動してしまい、位置が定まらないという問題があった。
【０００３】
一方、ティッシュ箱を他の場所にも置けるようにするためのものとして、特許文献１に記載のティッシュホルダーが考案されている。しかし、このティッシュホルダーは、天井、ダッシュボード側面等に両面テープ又は接着剤で固定するものであるため、接着剤で車内が汚れたり、接着不可能な場所には固定できないなどの問題があった。
【特許文献１】実用新案登録第３０８４０９５号公報
【考案の開示】
【考案が解決しようとする課題】
【０００４】
そこで、この考案は、接着剤を使用することなく、ティッシュペーパーを収納したティッシュ箱を適宜箇所に保持することが可能なティッシュ箱ホルダーを提供することを課題とする。
【課題を解決するための手段】
【０００５】
この考案のティッシュ箱ホルダーは、適宜のものに取り付けて吊り下げられるようにした左右一対の片１，２からなり、各片１，２は、ティッシュ箱３の側部に設けられた穴４に差し込むようにした引掛け部５と、ティッシュ箱３の表面に当接することによりティッシュ箱３の回動を抑止する押さえ部６を備えたものとしている。
【０００６】
引掛け部５は、各片１，２の長板状の基体１４から内面側において分岐して上方に延びるものであり、押さえ部６は、引掛け部５より下方の位置においてティッシュ箱３のティッシュ取り出し口７のある面８と反対側の面９に当接するように基体１４と直角に設けられたものとすることができる。
【０００７】
また、少なくともいずれか一方の片１，２の基体１４の外面側に、適宜のものを掛けるためのフック１８を設けたものとすることもできる。
【０００８】
そして、この考案の収納容器１９は、前記ティッシュ箱ホルダーを、その各片１，２の上端部を左右側部に係止させて吊り下げているものとしている。
【考案の効果】
【０００９】
この考案のティッシュ箱ホルダーは、上述のような構成を有しており、適宜のものに取り付けて吊り下げられるので、接着剤の使用が不要である。また、ティッシュ箱３は、引掛け部５と押さえ部６とにより、しっかりと保持される。
【００１０】
そして、この考案の収納容器１９は、前記ティッシュ箱ホルダーを吊り下げているので、例えば収納容器１９に飲食物を入れて食事をしつつ、必要に応じてティッシュペーパーを取り出すことが容易にできるなど、収納容器１９とティッシュ箱ホルダーとの組み合わせによる便利な使用の仕方ができる。
【考案を実施するための最良の形態】
【００１１】
以下、この考案の好適な実施形態を、図面を参照して説明する。
【００１２】
図１はこの考案の実施形態のティッシュ箱ホルダーの斜視図、図２はティッシュ箱３の斜視図、図３はティッシュ箱ホルダーをティッシュ箱３に取り付けた状態を断面で示す説明図、図４はティッシュ箱ホルダーをティッシュ箱３に取り付けた状態の左側面図、図５はティッシュ箱ホルダーを自動車の座席に吊り下げた場合を示す斜視図である。
【００１３】
このティッシュ箱ホルダーは、適宜のものに取り付けて吊り下げられるようにした左右一対の片１，２からなり、各片１，２は、ティッシュ箱３の側部に設けられた穴４に差し込むようにした引掛け部５と、ティッシュ箱３の表面に当接することによりティッシュ箱３の回動を抑止する押さえ部６を備えたものとしている。
【００１４】
このティッシュ箱ホルダーに保持されるティッシュ箱３は、一般に市販されている内部に多数枚のティッシュペーパーが積層された紙製の直方体形状のものとすることができる。ティッシュ箱３は、ティッシュ取り出し口７のある面８が長方形であり、その反対側の面９が同じ大きさの長方形で、これら長方形の面の短辺を共有する左右側部の２つの面１０，１１（短側面）と、長辺を共有する２つの面１２，１３（長側面）を備えている。
【００１５】
ティッシュ取り出し口７のある面８には、中央部分にティッシュ取り出し口７を開口するためのミシン目が設けられており、ティッシュ箱３の購入者が前記ミシン目に沿って中央部分を切りとることによりティッシュ取り出し口７が開口し、次々にティッシュペーパーが取り出せるようになっている。
【００１６】
また、左右側部の２つの面には、それぞれ、図２中、高さ方向において略中央、横方向において中央より前記反対側の面９寄りの位置に、半円形のミシン目が設けられており、このミシン目に沿って切り取ることにより、穴４が開口するようになっている。この穴４は、ティッシュ箱３を廃棄する際にティッシュ箱３を潰して嵩低くすることを容易にできるようにするためのものであり、ティッシュ箱３の製造時に設けられるものであるが、前記ミシン目が設けられていないティッシュ箱の場合は、購入者がカッターナイフ等で穴４を設けてもよい。穴４は、引掛け部５を差し込める程度の大きさで、スリット状であってもよい。
【００１７】
ティッシュ箱ホルダーの各片１，２は、左右対称の形状で、長板状の基体１４に引掛け部５と押さえ部６が設けられたものとしている。各片１，２は、適宜の合成樹脂の一体成形により製造することができる。
【００１８】
引掛け部５は、各片１，２の長板状の基体１４から内面側において分岐して上方に延びるものであり、押さえ部６は、引掛け部５より下方の位置においてティッシュ箱３のティッシュ取り出し口７のある面８と反対側の面９に当接するように基体１４と直角に設けられたものである。
【００１９】
基体１４は幅２２ｍｍ、長さ１７０ｍｍ、厚さ１〜２ｍｍ程度で、引掛け部５は、幅９ｍｍ程度で基体１４の下端より上方４０ｍｍ程度の位置から上方に３０ｍｍ程度延び、押さえ部６は、幅１０ｍｍ、長さ２５ｍｍ、厚さ２ｍｍ程度としている。
【００２０】
このティッシュ箱ホルダーは、ティッシュ取り出し口７のある面８と反対側の面９を縦方向に、前記面８，９の長辺を横方向にした状態のティッシュ箱３（図２）に取り付ける。各片１，２は、図３、図４に示したように、ティッシュ箱３の左右側部の各面１０，１１を引掛け部５と基体１４との間に挟み、ティッシュ取り出し口７のある面８の反対側の面９を押さえ部６が支持する。
【００２１】
各片１，２の基体１４の上端部には凹部１５と、その下方のダルマ孔１６が形成されており、これらを利用して何かに吊り下げることが可能である。例えばこの上端部に、ひも状の係止具１７を取り付けることにより、図５に示したように自動車や列車等の座席の枕部に掛けて座席の背面側に吊り下げ、ティッシュ取り出し口７のある面８を後方の座席に座った使用者に対面させるようにすることができる。前記係止具１７は、基体１４と一体に成形されたものであってもよい。
【００２２】
また、各片１，２の基体１４の外面側には、適宜のものを掛けるためのフック１８が設けられている。フック１８は、基体１４の下端より上方１０ｍｍ程度の位置から上方に２０ｍｍ程度延びるもので、ここにビニール袋等を掛けることができる。
【００２３】
なお、各部の寸法や位置は適宜変更できるが、引掛け部５の根元と押さえ部６の下端との間に距離があれば、引掛け部５の根元を中心とするティッシュ箱３の回動を効果的に抑止することができる。そのため、この実施形態では、ティッシュ箱３に取り付けた状態において、引掛け部５の根元がティッシュ箱３の穴４のある側面１０，１１の高さ方向の略中央に位置するのに対し、押さえ部６の下端はティッシュ箱３の下端寄りに位置するようにしている。
【００２４】
また、この実施形態では、基体１４において引掛け部５とフック１８にそれぞれ対向する部分に貫通穴が形成されている。これらの貫通穴は成形上の支障がなければ特に設ける必要はないが、引掛け部５に対向する部分に貫通穴があれば、ティッシュ箱３の穴４への引掛け部５の差し込みの際に穴４と引掛け部５との位置関係を視認できるので、ティッシュ箱３への取り付けが容易になる。
【００２５】
さらに、各片１，２の基体１４の上部において、ティッシュ箱３に接触しない部分を肉薄にし、柔軟性を持たせてもよい。
【００２６】
このティッシュ箱ホルダーは、図６に示したように、収納容器１９に取り付けたものとすることができる。この収納容器１９は、ティッシュ箱ホルダーを、その各片１，２の上端部を左右側部に係止させて吊り下げたものとしている。収納容器１９は、飲食物を収納できる収納部２０と、収納部２０の底部に回動可能に取り付けられたトレー部２１を有しており、収納部２０の各左右側面には、各片１，２の上端部の前記凹部１５に入る突出部２２と、前記ダルマ孔１６に入る断面円形の突起２３を備えている。また、その上方には、ひも２４の取付部２５を設けており、自動車や列車等の座席の枕部に掛けて座席の背面側に吊り下げられるようにしている。
【００２７】
この収納容器１９において、ティッシュ箱ホルダーは、前記各片１，２の上端部の前記凹部１５に入る突出部２２により回り止めされるとともに、前記ダルマ孔１６に入る断面円形の突起２３によって、ティッシュ箱３を保持した状態で吊り下げられる。よって、収納容器１９にペットボトル飲料やパンなどの飲食物を入れて食事をしつつ、必要に応じてティッシュペーパーを取り出すことが容易にできるので、レジャー等の際に携行すると便利な使用の仕方ができる。なお、収納容器１９は、飲食物に限らず、適宜のものを入れるためのものとし、収納容器１９とティッシュ箱ホルダーとの組み合わせによって、様々に、便利な使用の仕方ができる。
【図面の簡単な説明】
【００２８】
【図１】この考案の実施形態のティッシュ箱ホルダーの斜視図である。
【図２】この考案の実施形態のティッシュ箱ホルダーに保持されるティッシュ箱の斜視図である。
【図３】この考案の実施形態のティッシュ箱ホルダーをティッシュ箱に取り付けた状態を断面で示す説明図である。
【図４】この考案の実施形態のティッシュ箱ホルダーをティッシュ箱に取り付けた状態の左側面図である。
【図５】この考案の実施形態のティッシュ箱ホルダーを自動車の座席に吊り下げた場合を示す斜視図である。
【図６】この考案の実施形態の収納容器の斜視図である。
【符号の説明】
【００２９】
１，２  片
３  ティッシュ箱
４  穴
５  引掛け部
６  押さえ部
７  ティッシュ取り出し口
８  ティッシュ取り出し口のある面
９  反対側の面
１４  基体
１８  フック
１９  収納容器
【図１】
0003124821.tif 000003
【図２】
0003124821.tif 000004
【図３】
0003124821.tif 000005
【図４】
0003124821.tif 000006
【図５】
0003124821.tif 000007
【図６】
0003124821.tif 000008